(57)【要約】【課題】発光効率及び永久残像の改善されたプラズマディスプレイパネルに対し、リセット期間のリセット放電によるリセット光を最小化しつつ、放電セル内の壁電荷の精密な制御が可能な駆動方法及びこれにより駆動されるプラズマディスプレイ装置を提供する。【解決手段】互いに離隔されて配置される第１基板及び第２基板と、第１基板と第２基板と共に放電空間の放電セルを形成する隔壁と、隔壁内に配置され、互いに交差して延長する複数個の電極と、放電セル内に配置される蛍光体層と、放電セル内にある放電ガスとを備えるプラズマディスプレイパネルを駆動するために、単位フレームが複数個のサブフィールドに分かれ、各サブフィールドは、互いに相異なる階調重み付け値を有してリセット、アドレス及び維持期間に分けられ、リセット期間で、複数個の電極のうち第１電極に印加される立上がりパルス及び立下りパルスがランプパルスであることを特徴とする。【選択図】図６
2007047755.tif 000002
【特許請求の範囲】
【請求項１】
プラズマディスプレイパネルの駆動方法において、
前記プラズマディスプレイパネルは、互いに離隔されて配置される第１基板及び第２基板と、前記第１基板及び第２基板と共に放電空間の放電セルを区画する隔壁と、前記隔壁内に配置されて互いに交差するように延長する第１電極及び第２電極と、前記放電セル内に配置される蛍光体層と、前記放電セル内にある放電ガスとを具備し、
前記駆動方法は、画像を表示する単位フレームが複数個のサブフィールドに分かれ、各サブフィールドは、すべての放電セルを初期化するリセット期間、点灯すべきセルと点灯してはならないセルとを区分するアドレス期間、及び前記点灯すべきセルとして選択された放電セルで各サブフィールド別に割り当てられた階調重み付け値によって維持放電を行う維持期間に分けられ、
前記リセット期間で、前記第１電極には立上がりパルス及び立下りパルスが印加され、前記立上がりパルス及び立下りパルスがランプパルスであることを特徴とするプラズマディスプレイパネルの駆動方法。
【請求項２】
前記リセット期間で、前記第２電極には、前記立下りパルスが印加される間にバイアス電圧が印加されることを特徴とする請求項１に記載のプラズマディスプレイパネルの駆動方法。
【請求項３】
前記アドレス期間に、
前記第１電極には、ハイレベルを維持していて、順次にローレベルを有する走査パルスが印加され、
前記第２電極には、前記走査パルスに合わせて表示データ信号が印加されることを特徴とする請求項１に記載のプラズマディスプレイパネルの駆動方法。
【請求項４】
前記維持期間に、
前記第１電極には、ハイレベル及びローレベルを交互に有する維持パルスが印加され、前記第２電極には、前記維持パルスのハイレベル及びローレベルの中間電位が印加されることを特徴とする請求項１に記載のプラズマディスプレイパネルの駆動方法。
【請求項５】
プラズマディスプレイパネルの駆動方法において、
前記プラズマディスプレイパネルは、互いに離隔されて配置される第１基板及び第２基板と、前記第１基板及び第２基板と共に放電空間の放電セルを区画する隔壁と、前記隔壁内に配置されて一方向に延長する第１電極及び第２電極と、前記隔壁内に配置されて前記第１電極及び第２電極に交差して延長する第３電極と、前記放電セル内に配置される蛍光体層と、前記放電セル内にある放電ガスとを具備し、
前記駆動方法は、画像を表示する単位フレームが複数個のサブフィールドに分かれ、各サブフィールドは、すべての放電セルを初期化するリセット期間、点灯すべきセルと点灯してはならないセルとを区分するアドレス期間、及び前記点灯すべきセルとして選択された放電セルで各サブフィールド別に割り当てられた階調重み付け値によって維持放電を行う維持期間に分けられ、
前記リセット期間で、前記第１電極には立上がりパルス及び立下りパルスが印加され、前記立上がりパルス及び立下りパルスがランプパルスであることを特徴とするプラズマディスプレイパネルの駆動方法。
【請求項６】
前記リセット期間で、前記第２電極には、前記立下りパルス印加時からバイアス電圧が印加されることを特徴とする請求項５に記載のプラズマディスプレイパネルの駆動方法。
【請求項７】
前記アドレス期間に、
前記第１電極には、ハイレベルを維持していて、順次にローレベルを有する走査パルスが印加され、
前記第３電極には、前記走査パルスに合わせて表示データ信号が印加され、
前記第２電極には、バイアス電圧が印加されることを特徴とする請求項５に記載のプラズマディスプレイパネルの駆動方法。
【請求項８】
前記維持期間に、
前記第１電極及び第２電極には、ハイレベル及びローレベルを交互に有する維持パルスが交互に印加され、
前記第３電極には、前記維持パルスのハイレベル及びローレベルの中間電位が印加されることを特徴とする請求項５に記載のプラズマディスプレイパネルの駆動方法。
【請求項９】
互いに離隔されて配置される第１基板及び第２基板と、第１基板及び第２基板と共に放電空間の放電セルを区画する隔壁と、前記隔壁内に配置されて互いに交差して延長する第１電極及び第２電極と、前記放電セル内に配置される蛍光体層と、前記放電セル内にある放電ガスとを具備するプラズマディスプレイパネルと、
前記プラズマディスプレイパネルを駆動するために、単位フレームが複数個のサブフィールドに分かれ、各サブフィールドは、すべての放電セルを初期化するリセット期間、点灯すべきセルと点灯してはならないセルとを区分するアドレス期間、及び前記点灯すべきセルとして選択された放電セルで各サブフィールド別に割り当てられた階調重み付け値によって維持放電の行われる維持期間に分けられ、前記リセット、アドレス及び維持期間に分けられる駆動信号を前記各電極に印加する駆動部とを具備し、
前記駆動部は、前記第１電極に駆動信号を印加する第１駆動部と、前記第２電極に駆動信号を印加する第２駆動部とに分かれ、
前記第１駆動部は、前記リセット期間に立上がりパルス及び立下りパルスを印加するものであり、前記立上がりパルス及び立下りパルスがランプパルスであることを特徴とするプラズマディスプレイ装置。
【請求項１０】
前記リセット期間に、前記第２駆動部は、前記第１駆動部が前記立下りパルスを印加する間にバイアス電圧を印加することを特徴とする請求項９に記載のプラズマディスプレイ装置。
【請求項１１】
前記アドレス期間に、
前記第１駆動部は、ハイレベルを維持していて、順次にローレベルを有する走査パルスを印加し、
前記第２駆動部は、前記走査パルスに合わせて表示データ信号を印加することを特徴とする請求項９に記載のプラズマディスプレイ装置。
【請求項１２】
前記維持期間に、
前記第１駆動部は、ハイレベル及びローレベルを交互に有する維持パルスを印加し、
前記第２駆動部は、前記維持パルスのハイレベル及びローレベルの中間電位を印加することを特徴とする請求項９に記載のプラズマディスプレイ装置。
【請求項１３】
互いに離隔されて配置される第１基板及び第２基板と、前記第１基板及び第２基板と共に放電空間の放電セルを区画する隔壁と、前記隔壁内に配置されるが、一方向に延長する第１電極及び第２電極と、前記隔壁内に配置されて前記第１電極及び第２電極に交差して延長する第３電極と、前記放電セル内に配置される蛍光体層と、前記放電セル内にある放電ガスとを具備するプラズマディスプレイパネルと、
前記プラズマディスプレイパネルを駆動するために、単位フレームが複数個のサブフィールドに分かれ、各サブフィールドは、すべての放電セルを初期化するリセット期間、点灯すべきセルと点灯してはならないセルとを区分するアドレス期間、及び前記点灯すべきセルとして選択された放電セルで各サブフィールド別に割り当てられた階調重み付け値によって維持放電の行われる維持期間に分けられ、前記リセット、アドレス及び維持期間に分けられる駆動信号を前記各電極に印加する駆動部とを具備し、
前記駆動部は、前記第１電極に駆動信号を印加する第１駆動部と、前記第２電極に駆動信号を印加する第２駆動部と、前記第３電極に駆動信号を印加する第３駆動部とに分かれ、
前記リセット期間で、前記第１駆動部は立上がりパルス及び立下りパルスを印加するものであり、前記立上がりパルス及び立下りパルスがランプパルスを印加することを特徴とするプラズマディスプレイ装置。
【請求項１４】
前記リセット期間で、
前記第２駆動部は、前記立下りパルス印加時からバイアス電圧を印加することを特徴とする請求項１３に記載のプラズマディスプレイ装置。
【請求項１５】
前記アドレス期間で、
前記第１駆動部は、ハイレベルを維持していて、順次にローレベルを有する走査パルスを印加し、
前記第３駆動部は、前記走査パルスに合わせて表示データ信号を印加し、
前記第２駆動部は、バイアス電圧を印加することを特徴とする請求項１３に記載のプラズマディスプレイ装置。
【請求項１６】
前記維持期間で、
前記第１駆動部及び第２駆動部は、ハイレベル及びローレベルを交互に有する維持パルスを交互に印加し、
前記第３駆動部は、前記維持パルスのハイレベル及びローレベルの中間電位を印加することを特徴とする請求項１３に記載のプラズマディスプレイ装置。
【発明の詳細な説明】
【技術分野】
【０００１】
本発明は、プラズマディスプレイパネルに係り、さらに詳細には、発光効率及び永久残像を改善することができる新構造のプラズマディスプレイパネルに対する駆動方法、及びこれにより駆動されるプラズマディスプレイ装置に関する。
【背景技術】
【０００２】
最近になり、従来の陰極線管ディスプレイ装置に代るものとして、プラズマディスプレイパネル（ＰＤＰ：Ｐｌａｓｍａ Ｄｉｓｐｌａｙ Ｐａｎｅｌ）が注目されている。このＰＤＰは、複数個の電極が形成された２枚の基板間に放電ガスが封入された状態で放電電圧が加えられ、これによって発生する紫外線により所定のパターンに形成された蛍光体が励起されることで所望の画像を得る装置である。
【０００３】
図１２は、従来技術による三電極面放電方式のＰＤＰの部分分離斜視図であり、図１３は、図１のＰＤＰをII−II線に沿って切り取った断面図である。以下、図１２及び図１３を参照して説明する。
【０００４】
図１２及び図１３のＰＤＰ１は、第１パネル１１０と第２パネル１２０とを具備する。
【０００５】
前記第１パネル１１０は、第１基板１１１と、第１基板１１１の背面で走査電極ライン１１２及び維持電極ライン１１３を覆うように配置される第１誘電体層１１５と、第１誘電体層１１５を保護するための第１保護膜１１６とを具備する。走査電極ライン１１２及び維持電極ライン１１３は、対をなして維持電極対１１４を構成するとともに、伝導度を高めるための金属性材質のバス電極１１２ａ，１１３ａと、ＩＴＯ（Ｉｎｄｉｕｍ Ｔｉｎ Ｏｘｉｄｅ）のような透明な導電性材質の透明電極１１２ｂ，１１３ｂを具備する。
【０００６】
前記第２パネル１２０は、第２基板１２１と、前記走査電極ライン１１２及び維持電極ライン１１３の延長する方向と直交する方向に形成されたアドレス電極ライン１２２を覆うように第２基板１２１の前面で第１基板方向に配置される第２誘電体層１２３と、前記第２誘電体層１２３の上部で放電セルを区画する隔壁１２４と、前記隔壁１２４によって限定される空間内に配置された蛍光体層１２５と、前記蛍光体層１２５を保護するために蛍光体層１２５の前面に形成された第２保護膜１２８とを具備する。前記隔壁１２４により限定される空間である放電セルＣｅには放電ガスが注入される。
【発明の開示】
【発明が解決しようとする課題】
【０００７】
図１２及び図１３に図示された従来の三電極ＰＤＰは、画像を表示するためのフレームが複数個のサブフィールドに分かれ、各サブフィールドは、さらにリセット期間、アドレス期間、及び維持期間に分けられて画像を表示する。しかし、従来の三電極ＰＤＰ１は、次のような問題点を有する。
【０００８】
第一に、蛍光体層１２５で発散された可視光線が、第１基板１１０の下に配置された維持電極ライン１１３、走査電極ライン１１２、これら電極ライン１１２，１１３を覆う第１誘電体層１１５、及び第１保護膜１１６によって相当部分（ほぼ４０％）吸収されてしまうために、発光効率が低い。
【０００９】
第二に、前記のような従来のＰＤＰ１が長時間同じ画像を表示している場合、蛍光体層１２５が放電ガスの荷電粒子により、イオンスパッタリングされてしまい、永久的な残像を引き起こすこととなる。
【００１０】
本発明は、前記のような問題点を含めてさまざまな問題点を解決するためのものであり、発光効率が高く、かつ永久残像の改善された新構造のＰＤＰに対し、リセット期間のリセット放電によるリセット光を最小化しつつ、放電セル内の壁電荷の精密な制御が可能な駆動方法、及びこれにより駆動されるプラズマディスプレイ装置を提供することを目的とする。
【課題を解決するための手段】
【００１１】
前記のような目的を達成するために、本発明は、ＰＤＰの駆動方法において、ＰＤＰは、互いに離隔されて配置される第１基板及び第２基板と、第１基板及び第２基板と共に放電空間の放電セルを区画する隔壁と、隔壁内に配置されるが、互いに交差して延長する第１電極及び第２電極と、放電セル内に配置される蛍光体層と、放電セル内にある放電ガスとを具備し、駆動方法は、画像を表示する単位フレームが複数個のサブフィールドに分かれ、各サブフィールドは、すべての放電セルを初期化するリセット期間、点灯すべきセルと点灯してはならないセルとを区分するアドレス期間、及び点灯すべきセルとして選択された放電セルで各サブフィールド別に割り当てられた階調重み付け値によって維持放電を行う維持期間に分けられ、リセット期間で、第１電極には、立上がりパルス及び立下りパルスが印加されるが、立上がりパルス及び立下りパルスは、ランプパルスであることを特徴とするＰＤＰの駆動方法を提供する。
【００１２】
かかる本発明の他の特徴によれば、リセット期間で、第２電極には、立下りパルスが印加される間にバイアス電圧が印加され、アドレス期間に、第１電極には、ハイレベルを維持していて、順次にローレベルを有する走査パルスが印加され、第２電極には、走査パルスに合わせて表示データ信号が印加され、維持期間に、第１電極には、ハイレベル及びローレベルを交互に有する維持パルスが印加され、第２電極には、維持パルスのハイレベル及びローレベルの中間電位が印加される。
【００１３】
本発明は、また、前述の目的を達成するために、ＰＤＰの駆動方法において、ＰＤＰは、互いに離隔されて配置される第１基板及び第２基板と、第１基板及び第２基板と共に放電空間の放電セルを区画する隔壁と、隔壁内に配置されるが、一方向に延長する第１電極及び第２電極と、隔壁内に配置されるが、第１電極及び第２電極に交差して延長する第３電極と、放電セル内に配置される蛍光体層と、放電セル内にある放電ガスとを具備し、駆動方法は、画像を表示する単位フレームが複数個のサブフィールドに分けられ、各サブフィールドは、すべての放電セルを初期化するリセット期間、点灯すべきセルと点灯してはならないセルとを区分するアドレス期間、及び点灯すべきセルとして選択された放電セルで各サブフィールド別に割り当てられた階調重み付け値によって維持放電を行う維持期間に分けられ、リセット期間で、前記第１電極には、立上がりパルス及び立下りパルスが印加されるが、立上がりパルス及び立下りパルスは、ランプパルスであることを特徴とするＰＤＰの駆動方法を提供する。
【００１４】
かかる本発明の他の特徴によれば、リセット期間で、第２電極には、立下りパルス印加時からバイアス電圧が印加され、アドレス期間に、第１電極には、ハイレベルを維持していて、順次にローレベルを有する走査パルスが印加され、第３電極には、前記走査パルスに合わせて表示データ信号が印加され、第２電極には、バイアス電圧が印加され、維持期間に、第１電極及び第２電極には、ハイレベル及びローレベルを交互に有する維持パルスが交互に印加され、第３電極には、維持パルスのハイレベル及びローレベルの中間電位が印加される。
【００１５】
本発明は、また、前述の目的を達成するために、互いに離隔されて配置される第１基板及び第２基板と、第１基板及び第２基板と共に放電空間の放電セルを区画する隔壁と、隔壁内に配置されるが、互いに交差して延長する第１電極及び第２電極と、放電セル内に配置される蛍光体層と、放電セル内にある放電ガスとを具備するＰＤＰと；ＰＤＰを駆動するように、単位フレームが複数個のサブフィールドに分かれ、各サブフィールドは、すべての放電セルを初期化するリセット期間、点灯すべきセルと点灯してはならないセルとを区分するアドレス期間、及び点灯すべきセルとして選択された放電セルで各サブフィールド別に割り当てられた階調重み付け値によって維持放電の行われる維持期間に分けられ、リセット、アドレス及び維持期間に分けられる駆動信号を各電極に印加する駆動部とを具備し、駆動部は、第１電極に駆動信号を印加する第１駆動部と、第２電極に駆動信号を印加する第２駆動部とに分かれ、第１駆動部は、リセット期間に立上がりパルス及び立下りパルスを印加するものの、立上がりパルス及び立下りパルスは、ランプパルスであることを特徴とするプラズマディスプレイ装置を提供する。
【００１６】
かかる本発明の他の特徴によれば、リセット期間に、第２駆動部は、第１駆動部が立下りパルスを印加する間にバイアス電圧を印加し、アドレス期間に、第１駆動部は、ハイレベルを維持していて、順次にローレベルを有する走査パルスを印加し、第２駆動部は、前記走査パルスに合わせて表示データ信号を印加し、維持期間に、第１駆動部は、ハイレベル及びローレベルを交互に有する維持パルスを印加し、第２駆動部は、維持パルスのハイレベル及びローレベルの中間電位を印加する。
【００１７】
本発明は、また、前述の目的を達成するために、互いに離隔されて配置される第１基板及び第２基板と、第１基板及び第２基板と共に放電空間の放電セルを区画する隔壁と、隔壁内に配置されるが、一方向に延長する第１電極及び第２電極と、隔壁内に配置されるが、第１電極及び第２電極に交差して延長する第３電極と、放電セル内に配置される蛍光体層と、放電セル内にある放電ガスとを備えるＰＤＰと；ＰＤＰを駆動するように、単位フレームが複数個のサブフィールドに分かれ、各サブフィールドは、すべての放電セルを初期化するリセット期間、点灯すべきセルと点灯してはならないセルとを区分するアドレス期間、及び点灯すべきセルとして選択された放電セルで各サブフィールド別に割り当てられた階調重み付け値によって維持放電の行われる維持期間に分けられ、リセット、アドレス及び維持期間に分けられる駆動信号を各電極に印加する駆動部とを具備し、駆動部は、第１電極に駆動信号を印加する第１駆動部と、第２電極に駆動信号を印加する第２駆動部と、第３電極に駆動信号を印加する第３駆動部とに分かれ、リセット期間で、第１駆動部は、立上がりパルス及び立下りパルスを印加するものの、立上がりパルス及び立下りパルスは、ランプパルスであることを特徴とするプラズマディスプレイ装置を提供する。
【００１８】
かかる本発明の他の特徴によれば、リセット期間で、第２駆動部は、立下りパルス印加時からバイアス電圧を印加し、アドレス期間で、第１駆動部は、ハイレベルを維持していて、順次にローレベルを有する走査パルスを印加し、第３駆動部は、走査パルスに合わせて表示データ信号を印加し、第２駆動部は、バイアス電圧を印加し、維持期間で、第１駆動部及び第２駆動部は、ハイレベル及びローレベルを交互に有する維持パルスを交互に印加し、第３駆動部は、前記維持パルスのハイレベル及びローレベルの中間電位を印加する。
【発明の効果】
【００１９】
本発明によれば、次のような効果を得ることができる。
【００２０】
第一に、新構造のＰＤＰは、その構造によって発光効率、永久残像などが改善される。
【００２１】
第二に、新構造のＰＤＰに対する本発明の駆動方法によれば、リセット期間の立上がりパルス及び立下りパルスをランプパルスで印加するので、リセット放電は、弱放電で行われ、放電セル内の壁電荷を精密に制御できる。
【００２２】
第三に、従来の矩形波パルス波形の印加によってリセット放電が強放電により行われる場合と比較すると、コントラストが向上する。
【発明を実施するための最良の形態】
【００２３】
以下、添付された図面を参照しつつ、本発明の実施形態について詳細に説明する。
【００２４】
図１は、本発明のＰＤＰの駆動方法により駆動される発光効率及び永久残像が改善されたＰＤＰの一例であり、図２は、IV−IV線に沿って切り取った断面図であり、図３は、図１及び図２に図示された放電セル及び電極構造を図示した配置図である。
【００２５】
図１ないし図３を参照しつつ説明すると、ＰＤＰ２００は、第１基板２１０、第２基板２２０、隔壁２１４、第１電極２１２、第２電極２１３、蛍光体層２２５、第１保護膜２１６、放電ガスを具備する。
【００２６】
第１基板２１０及び第２基板２２０は、互いに対向して離隔されて配置される。
【００２７】
隔壁２１４は、図面で示すように、一体に形成されてもよいし、分離されて第１基板２１０及び第２基板２２０にそれぞれ付着される形態で（前方隔壁及び後方隔壁）形成されてもよい。隔壁２１４は、第１基板２１０及び第２基板２２０と共に、放電の行われる空間である放電セルＣｅを形成する。本実施形態では、図面で示すように、放電セルＣｅが隔壁２１４内の円形の横断面を有した開口部により形成されているが、それに限定されるものではなく、三角形、四角形、五角形、または楕円形のような横断面を有する放電セルＣｅとして形成されてもよい。また、図面には、隔壁２１４が放電セルＣｅをマトリックス状に区画することが図示されているが、それに限定されるものではなく、複数の放電空間を形成できるものであれば、ワッフル、デルタ状等の多様なパターンで区画することができる。
【００２８】
隔壁２１４内には、リング状に形成された第１電極２１２及び第２電極２１３が互いに離隔されて配置される。第１電極２１２及び第２電極２１３の形状は、リング状に限定されるものではなく、放電セルＣｅの横断面に応じた形状に形成されるものである。また、第１電極２１２及び第２電極２１３は、図面で示すように、放電セルＣｅを完全に囲うように形成できるが、それに限定されず、放電セルの一部だけを囲うように形成することも可能である。
【００２９】
第１電極２１２及び第２電極２１３は、それぞれｘ方向及びｙ方向に延長される。すなわち、図３に示すように、第２電極２１３はｘ方向において隣接する第２電極２１３と導通し、ｙ方向に隣接する第２電極２１３とは導通しないように延長される。また、第１電極２１２はｙ方向において隣接する第１電極２１２と導通し、ｘ方向に隣接する第１電極２１２とは導通しないように延長される。これによって、複数の第１電極２１２からなる電極列（ｙ方向）と、複数の第２電極２１３からなる電極列（ｘ方向）とは、互いに交差するように延長される。
【００３０】
一方、図面では、第１基板２１０から第２基板２２０の方向（−ｚ方向）に順に第２電極２１３と第１電極２１２とが配置されることが図示されているが、それに限定されるものではなく、第１基板２１０から第２基板２２０の方向（−ｚ方向）に順に第１電極２１２と第２電極２１３とが配置されてもよい。
【００３１】
放電セルＣｅを形成する隔壁２１４の外側面には、ＭｇＯなどからなる第１保護膜２１６が形成されることが望ましい。第１保護膜２１６は、放電時に、第１電極２１２及び第２電極２１３と、これを覆う誘電体から形成された隔壁２１４とを保護するとともに、二次電子を放出して放電が容易に起こるようにする。
【００３２】
蛍光体層２２５は、第１基板２１０上に、詳細には、第１基板２１０上の第２基板２２０の方向に形成された溝２１０ａに形成される。蛍光体層２２５の位置は、図面に図示されたところに限定されるものではなく、第２基板２２０上の第１基板２１０の方向に形成された溝（図示せず）に形成されることもあり、第１基板２１０及び第２基板２２０上にいずれも形成されることもある。
【００３３】
放電セルＣｅの内部には、放電ガスが充填される。放電ガスとしては、１０％前後のキセノンガス（Ｘｅ）を含んだネオン（Ｎｅ）、ヘリウム（Ｈｅ）、またはアルゴン（Ａｒ）のうちいずれか一つ、あるいはそれらのうち二以上の混合ガスでありうる。
【００３４】
第１基板２１０及び第２基板２２０は、ガラスを主成分とする透光性にすぐれる素材により製造される。第２基板２２０は、第１基板２１０から離隔されて対向するように位置する。第１基板２１０と第２基板２２０は、実質的に同じ材料を使用して形成されることが望ましく、その場合、第１基板２１０の熱膨張率と第２基板２２０の熱膨張率とが同一になるという長所を有する。
【００３５】
隔壁２１４は、放電時に、第１電極２１２と第２電極２１３とが直接通電されることを防止し、且つ荷電粒子が第１電極２１２及び第２電極２１３に直接衝突してそれらを損傷させることを防止する。隔壁２１４は、荷電粒子を誘導して壁電荷を蓄積できる誘電体によって形成されるが、このような誘電体としては、ＰｂＯ、Ｂ２Ｏ３、ＳｉＯ２などがある。
【００３６】
第１電極２１２及び第２電極２１３は、放電が行われるように所定電圧がそれぞれ印加されるので、導電率の高いＡｇ、Ｃｕ、Ｃｒなどから形成されることが望ましい。
【００３７】
蛍光体層２２５は、赤色発光蛍光体、緑色発光蛍光体、青色発光蛍光体のうちいずれか１つの蛍光体、ソルベント、及びバインダが混合された蛍光体ペーストが第１基板の溝２１０ａに塗布された後に乾燥及び焼成工程を経ることによって形成される。前記赤色発光蛍光体としては、Ｙ（Ｖ，Ｐ）Ｏ４：Ｅｕなどがあり、緑色発光蛍光体としては、ＺｎＳｉ０４：Ｍｎ，ＹＢＯ３：Ｔｂなどがあり、青色発光蛍光体としては、ＢＡＭ：Ｅｕなどがある。
【００３８】
一方、蛍光体層２２５の前面（−ｚ方向）には、ＭｇＯなどからなる第２保護膜（図示せず）が形成される。第２保護膜は、放電セルＣｅ内で放電が発生するとき、放電粒子の衝突によって蛍光体層２２５が劣化することを防止し、且つ二次電子を放出して前記放電が容易に起こるようにする。
【００３９】
図１ないし図３に図示されたＰＤＰ２００は、従来のＰＤＰ１に比べて次のような長所を有する。
【００４０】
第一に、第１電極２１２及び第２電極２１３のための別途の誘電体層が不要となり、また電極が隔壁２１４内に配置されるので、放電セルＣｅでの放電により発生する可視光線が第１基板２１０または／及び第２基板２２０を介して直接放出されて発光効率が高まり、さらにはＩＴＯのような透明電極が不要となる。
【００４１】
第二に、第１電極２１２及び第２電極２１３が隔壁２１４と放電セルＣｅの周囲に形成されるので電界が放電セルＣｅの中央に集中する。これにって、ＰＤＰ２００が長時間同じ画像を表示しても、蛍光層２２５が放電ガスの荷電粒子によりイオンスパッタリングされることがなく、このために永久的な残像が防止される。また、放電セルＣｅのあらゆる空間で放電が起こるので、応答速度及び放電効率が高まる。
【００４２】
図４は、図１のＰＤＰを駆動するための駆動方法を簡略に示すタイミング図である。
【００４３】
画像を表示する単位フレームは、複数個のサブフィールドに分けられ、各サブフィールドは、さらにリセット期間、アドレス期間、及び維持期間に分けられる。リセット期間は、すべての放電セルを初期化する期間であり、アドレス期間は、すべての放電セル中で、点灯すべき放電セルと点灯してはならない放電セルとを区分する期間であり、維持期間は、点灯すべき放電セルとして選択された放電セルで、各サブフィールドごとに割り当てられた階調重み付け値によって維持放電を行う期間である。ＰＤＰは、前記の通りに、サブフィールド別にリセット、アドレス及び維持期間による駆動信号を印加する時分割駆動方法により駆動される。
【００４４】
図面では、単位フレームを８個のサブフィールドＳＦ１〜ＳＦ８に分け、各サブフィールドは、リセット期間（図示せず）、アドレス期間ＰＡ１〜ＰＡ８及び維持期間ＰＳ１〜ＰＳ８に分かれ、各サブフィールドの階調重み付け値を第１サブフィールドＳＦ１から第８サブフィールドＳＦ８まで、１Ｔ、２Ｔ、…、１２８Ｔのように割り当てたが、これは一例に過ぎず、これに限定されるものではない。すなわち、単位フレームのサブフィールド数は、８個より多くてもよく、また少なくてもよく、サブフィールド別の階調重み付け値の割り当ても、例示されたところと異なる設計スペックによって変更可能である。
【００４５】
図５は、図１のＰＤＰ２００及びこれを駆動するための駆動装置を図示したプラズマディスプレイ装置の簡略なブロック図である。
【００４６】
図１のＰＤＰ２００の構造は、放電セルが隔壁内に配置される新しい電極構造であり、ニ電極構造からなっている。従って、図５のプラズマディスプレイ装置７０１は、従来の三電極構造のプラズマディスプレイ装置に比べて簡潔に構成される。
【００４７】
図１ないし図５を参照しつつ説明すれば、図５のプラズマディスプレイ装置７０１は、映像処理部７００、論理制御部７０２、Ｙ駆動部７０４、Ａ駆動部７０６及びＰＤＰ２００を具備する。
【００４８】
映像処理部７００は、外部からＰＣ信号、ＤＶＤ信号、ビデオ信号、ＴＶ信号のような外部アナログ映像信号を入力してデジタル信号に変換し、このデジタル信号を映像処理して内部映像信号として出力する。内部映像信号には、それぞれ８ビットの赤色（Ｒ）、緑色（Ｇ）、及び青色（Ｂ）の映像データ、クロック信号、垂直及び水平の同期信号が含まれる。
【００４９】
論理制御部７０２は、映像処理部７００からの内部映像信号を入力して、ガンマ補正、ＡＰＣ（Ａｕｔｏｍａｔｉｃ Ｐｏｗｅｒ Ｃｏｎｔｒｏｌ）段階などを経てそれぞれ、Ｙ駆動制御信号ＳＹとＡ駆動制御信号ＳＡとを出力する。
【００５０】
Ｙ駆動部７０４は、論理制御部７０２からのＹ駆動制御信号ＳＹを入力して、第１電極（図１の２１２）に駆動信号を印加する。Ａ駆動部７０６は、論理制御部７０２からのＡ駆動制御信号ＳＡを入力して、第２電極（図１の２１３）に駆動信号を印加する。以下には、第１電極２１２をＹ電極、第２電極２１３をＡ電極とも記述する。
【００５１】
Ｙ駆動部７０４は、リセット期間にＹ電極に立上がりパルス及び立下りパルスを印加するが、リセット放電時のリセット光を最小化し、放電セル内の壁電荷を精密に制御するために、立上がりパルス及び立下りパルスをランプパルスとする。また、アドレス期間にハイレベルＶｓｃｈ１を維持していて、順次にローレベルＶｓｃｌ１を有する走査パルスを印加し、維持期間にハイレベルＶｓ１及びローレベル−Ｖｓ１を有する維持パルスを印加する。
【００５２】
Ａ駆動部７０６は、リセット期間で、立下りパルスが印加される間にバイアス電圧Ｖｂ１を印加し、アドレス期間に、前記走査パルスに合わせてハイレベルＶａ１を有する表示データ信号を印加し、維持期間には、維持パルスのハイレベルＶｓ１及びローレベル−Ｖｓ１の中間電位Ｖｇを印加する。前記表示データ信号及び走査パルスにより、アドレス期間でアドレス放電が行われる。
【００５３】
図６は、本願発明の一実施形態であり、図１のＰＤＰを駆動する駆動信号を図示した図面である。
【００５４】
図１ないし図６を参照しつつ説明すれば、各サブフィールドＳＦは、リセット期間ＰＲ、アドレス期間ＰＡ及び維持期間ＰＳに分けられる。
【００５５】
リセット期間ＰＲは、すべての放電セルを初期化する期間である。すべての放電セルを初期化するために、リセット期間では、リセット放電により放電セル内の壁電荷状態を初期化させる。リセット放電を行うために、Ｙ電極には多様な形態のパルスが印加されうる。従来は矩形波パルスを印加したが、それは、高電圧の電位を急激に上昇させるものであるために、放電セル内で強放電が発生し、それにより、コントラストが悪化し、放電セル内の壁電荷状態を精密に制御できなかった。よって、本実施形態では、リセット放電を弱放電としつつ、放電セル内の壁電荷状態を精密に制御するために、立上がりパルス及び立下りパルスとしてランプパルスを使用する。すなわち、Ｙ電極には、立上がりランプパルス及び立下りランプパルスが印加される。Ａ電極には、ローレベルの電圧、例えば、接地電圧Ｖｇが印加されるが、立下りランプパルスの印加の間には、バイアス電圧Ｖｂ１が印加される。立上がりランプパルスは、維持放電電圧Ｖｓ１から上昇して立上がり最高電圧Ｖｓ１＋Ｖｓｅｔ１に達し、立下りランプパルスは、維持放電電圧Ｖｓ１から下降して立下り最低電圧Ｖｎｆ１まで下降する。立上がりランプパルスの印加により、放電セル内のＹ電極周囲に時間的に徐々に負極性の壁電荷が溜まっていき、Ｙ電極とＡ電極との間にリセット放電が発生する。また、立下りランプパルスの印加により、放電セル内のＹ電極周囲に溜まっていた負極性の壁電荷が消去されつつ、時間的に徐々にＹ電極とＡ電極との間にリセット放電が行われる。前記リセット放電により、放電セル内の壁電荷状態が初期化され、アドレス期間ＰＡのアドレス放電に適した壁電荷状態が作られる。
【００５６】
アドレス期間ＰＡは、点灯すべき放電セルと点灯してはならない放電セルとを区分する期間である。図面では、書き込み放電方式、すなわち、点灯すべき放電セルでのみアドレス放電を行う方式を図示しているが、これに限定されるものではなく、選択消去方式、すなわち、すべての放電セルでアドレス放電が行われ、点灯してはならない放電セルでのみ消去放電を行う方式も可能である。図６に図示されているように、書き込み放電方式によれば、Ｙ電極には、ハイレベル電位Ｖｓｃｈ１を維持していて、順次にローレベルの電位Ｖｓｃｌ１を有する走査パルスを印加し、走査パルスのローレベルの電位Ｖｓｃｌ１に合わせてハイレベルの電位Ｖａ１を有する表示データ信号をＡ電極に印加する。走査パルス及び表示データ信号の印加により、放電セル内のＹ電極とＡ電極との間には、アドレス放電が行われ、アドレス放電後にＹ電極の周囲には正極性の壁電荷が、Ａ電極の周囲には負極性の壁電荷が溜まることとなる。
【００５７】
維持期間ＰＳは、点灯すべきセルとして選択された放電セルで割り当てられた階調重み付け値によって維持放電の行われる期間である。この期間では、Ｙ電極にはハイレベルＶｓ１及びローレベル−Ｖｓ１を交互に有する維持パルスが印加され、Ａ電極には、維持パルスのハイレベルＶｓ１及びローレベル−Ｖｓ１の中間電位Ｖｇが印加される。維持パルスのハイレベル電位は、維持放電電圧Ｖｓ１ともいう。維持パルスの個数は、階調重み付け値に比例して印加される。すなわち、維持放電の回数により割り当てられた階調重み付け値の割合に応じて階調は変化する。まず、Ｙ電極に維持パルスのハイレベルの電位Ｖｓ１が印加されれば、放電セル内のＹ電極の周囲に溜まっていた正極性の壁電荷と、Ａ電極の周囲に溜まっていた負極性の壁電荷と、Ｙ電極に印加される電位Ｖｓ１及びＡ電極に印加される電位Ｖｇとにより維持放電が行われる。維持放電終了後に、Ａ電極の周囲には正極性の壁電荷が、Ｙ電極の周囲には負極性の壁電荷が溜まる。次に、Ｙ電極に維持パルスのローレベルの電位−Ｖｓ１が印加されれば、放電セル内のＹ電極の周囲に溜まっていた負極性の壁電荷と、Ａ電極の周囲に溜まっていた正極性の壁電荷と、Ｙ電極に印加される電位−Ｖｓ１と、Ａ電極に印加される電位Ｖｇとにより維持放電が行われる。維持放電終了後に、Ａ電極の周囲には負極性の壁電荷が、Ｙ電極の周囲には正極性の壁電荷が溜まる。前記のような方式により、階調重み付け値により決定される維持パルスの個数により、維持放電が続けて行われる。
【００５８】
図７は、本発明のＰＤＰの駆動方法により駆動される発光効率及び永久残像が改善されたＰＤＰの他の実施形態であり、図８は、Ｘ−Ｘ線に沿って切り取った断面図であり、図９は、図７及び図８に図示された放電セル及び電極構造を図示した配置図である。
【００５９】
図７ないし図９のＰＤＰ３００は、図１ないし図３に図示されたＰＤＰ２００と似ているが、その違いとしては、図１ないし図３に図示されたＰＤＰは、ニ電極構造である一方、図７ないし図９のＰＤＰは、三電極構造を有するという点である。以下では、その違いを中心に記述する。
【００６０】
図７ないし図９を参照しつつ説明すれば、ＰＤＰ３００は、第１基板３１０、第２基板３２０、隔壁３１４、第１電極３１２、第２電極３１３、第３電極３２２、蛍光体層３２５、第１保護膜３１６、放電ガスを具備する。
【００６１】
第１基板３１０、第２基板３２０、隔壁３１４、蛍光体層３２５、第１保護膜３１６、放電ガスについての説明は、図１ないし図３についての説明で代替する。
【００６２】
第１電極３１２、第２電極３１３及び第３電極３２２は、隔壁３１４内に互いに離隔されて配置される。第１電極３１２、第２電極３１３及び第３電極３２２は、図面に示すように、放電セルＣｅを完全に囲うように形成されるが、これに限定されるものではなく、放電セルＣｅの一部だけを囲うように形成されることも可能である。
【００６３】
第１電極３１２及び第２電極３１３は、一方向（ｘ方向）に延長し、第３電極３２２は、第１電極３１２及び第２電極３１３が延長する方向と交差する方向（ｙ方向）に延長する。一方、図面では、第１基板から第２基板の方向（−ｚ方向）に第２電極３１３、第３電極３２２、第１電極３１２の順に配列されているが、これに限定されるものではなく、設計スペックによって多様に配置することが可能である。
【００６４】
図７ないし図９に図示されたＰＤＰ３００は、図１ないし図３に図示されたＰＤＰの長所と同じ長所を有する。
【００６５】
図１０は、図７のＰＤＰ及びこれを駆動するための駆動装置を図示したプラズマディスプレイ装置の簡略なブロック図である。
【００６６】
図１０のプラズマディスプレイ装置１２０１は、図５のプラズマディスプレイ装置７０１と似ているので、その違いを中心に説明する。
【００６７】
図７ないし図１０を参照しつつ説明すれば、図１０のプラズマディスプレイ装置１２０１は、映像処理部１２００、論理制御部１２０２、Ｙ駆動部１２０４、Ａ駆動部１２０６、Ｘ駆動部１２０８及びＰＤＰ３００を具備する。
【００６８】
映像処理部１２００は、図５での映像処理部７００と同じ機能を果たす。
【００６９】
論理制御部１２０２は、映像処理部１２００からの内部映像信号を入力して、ガンマ補正、ＡＰＣ段階などを経て、それぞれ、Ｙ駆動制御信号ＳＹと、Ａ駆動制御信号ＳＡ及びＸ駆動制御信号ＳＸを出力する。
【００７０】
Ｙ駆動部１２０４は、論理制御部１２０２からのＹ駆動制御信号ＳＹを入力して、第１電極（図７の３１２）に駆動信号を印加する。Ｘ駆動部１２０８は、論理制御部１２０２からのＸ駆動制御信号ＳＸを入力して、第２電極（図７の３１３）に駆動信号を印加する。Ａ駆動部１２０６は、論理制御部１２０２からのＡ駆動制御信号ＳＡを入力して、第３電極（図７の３２２）に駆動信号を印加する。以下では、第１電極をＹ電極、第２電極をＸ電極、第３電極をＡ電極とも記述する。
【００７１】
Ｙ駆動部１２０４は、リセット期間にＹ電極に立上がりパルス及び立下りパルスを印加するが、立上がりパルス及び立下りパルスをランプパルス状に印加する。アドレス期間にハイレベルを維持していて、順次にローレベルを有する走査パルスを印加し、維持期間にハイレベル及びローレベルを交互に有する維持パルスを印加する。ここで、立上がりパルス及び立下りパルスをランプパルス状に印加することは、リセット放電を、強放電ではない弱放電として実行し、放電セル内の壁電荷を精密に制御するためである。
【００７２】
Ｘ駆動部１２０８は、リセット期間の立下りランプパルスの印加時からアドレス期間までバイアス電圧Ｖｂ２を印加し、維持期間に維持パルスを印加する。Ｙ駆動部１２０４で出力される維持パルスとＸ駆動部１２０８で出力される維持パルスの電位は互いに交互し、これにより放電セル内で維持放電が行われる。
【００７３】
Ａ駆動部１２０６は、アドレス期間に前記走査パルスに合わせて表示データ信号を印加する。表示データ信号及び走査パルスによりアドレス期間でアドレス放電が行われる。また、維持期間には、ローレベルの電位Ｖｇを印加する。
【００７４】
図１１は、本願発明の他の実施形態であり、図７のＰＤＰを駆動する駆動信号を図示した図面である。
【００７５】
図７の駆動方法は、時分割階調表現方式により、これは、図６で図示された方法による。一方、図１１の駆動信号は、図８の駆動信号と似ているので、その違いを中心に説明する。
【００７６】
図７ないし図１１を参照しつつ説明すれば、各サブフィールドＳＦは、リセット期間ＰＲ、アドレス期間ＰＡ及び維持期間ＰＳに分けられる。
【００７７】
リセット期間ＰＲは、すべての放電セルを初期化する期間である。すべての放電セルを初期化するために、リセット期間では、リセット放電により放電セル内の壁電荷状態を初期化させる。リセット放電を行うために、Ｙ電極に多様な形態のパルスが印加されうる。従来は矩形波パルスを印加したが、それは、高電圧の電位を急激に上昇させるものであるために、放電セル内で強放電が発生し、それにより、コントラストが悪化し、放電セル内の壁電荷状態を精密に制御できなかった。従って、本実施形態では、リセット放電を弱放電としつつ、放電セル内の壁電荷状態を精密に制御するために、立上がりパルス及び立下りパルスとしてランプパルスを使用する。すなわち、Ｙ電極には、立上がりランプパルス及び立下りランプパルスが印加される。一方、Ｘ電極には、ローレベルの電圧、例えば、接地電圧Ｖｇが印加されるが、立下りランプパルスの印加時からバイアス電圧Ｖｂ２が印加され、Ａ電極には、ローレベルの電圧Ｖｇが印加される。
【００７８】
立上がりランプパルスは、維持放電電圧Ｖｓ２から上昇して立上がり最高電圧Ｖｓ２＋Ｖｓｅｔ２に達し、立下りランプパルスは、維持放電電圧Ｖｓ２から下降して立下り最低電圧Ｖｎｆ２まで下降する。立上がりランプパルスの印加により、放電セル内のＹ電極の周囲に負極性の壁電荷が溜まっていき、Ｙ電極とＡ電極との間及びＹ電極とＸ電極との間にリセット放電が発生する。また、立下りランプパルスの印加により、放電セル内のＹ電極の周囲に溜まっていた負極性の壁電荷が消去されつつ、Ｙ電極とＡ電極との間及びＹ電極とＸ電極との間にリセット放電が行われる。前記リセット放電により、放電セル内の壁電荷状態が初期化され、アドレス期間ＰＡのアドレス放電に適した壁電荷状態が作られる。
【００７９】
アドレス期間ＰＡは、点灯すべき放電セルと点灯してはならない放電セルとを区分する期間であり、図面では、書き込み放電方式、すなわち、点灯すべき放電セルでのみアドレス放電を行う方式を図示しているが、これに限定されるものではなく、選択消去方式、すなわち、すべての放電セルでアドレス放電が行われ、点灯してはならない放電セルでのみ消去放電を行う方式も可能である。図１１に図示されているように、書き込み放電方式によれば、Ｙ電極にハイレベル電位Ｖｓｃｈ２を維持していて、順次にローレベルの電位Ｖｓｃｌ２を有する走査パルスを印加し、走査パルスのローレベルの電位Ｖｓｃｌ２に合わせてハイレベルの電位Ｖａ２を有する表示データ信号をＡ電極に印加し、Ｘ電極には、引続きバイアス電圧Ｖｂ２を印加する。走査パルス及び表示データ信号の印加により、放電セル内のＹ電極とＡ電極との間には、アドレス放電が行われ、アドレス放電後にＹ電極の周囲には正極性の壁電荷が、Ａ電極の周囲には負極性の壁電荷が、Ｘ電極の周囲には負極性の壁電荷が溜まることとなる。
【００８０】
維持期間ＰＳは、点灯すべきセルとして選択された放電セルで割り当てられた階調重み付け値によって維持放電の行われる期間である。この期間では、Ｙ電極及びＸ電極に、ハイレベルＶｓ２及びローレベルＶｇを有する維持パルスが交互に印加され、Ａ電極には、維持パルスのハイレベル及びローレベルの中間電位Ｖｇが印加される。維持パルスのハイレベル電位は、維持放電電圧Ｖｓ２ともいう。維持パルスの個数は、階調重み付け値に比例して印加される。すなわち、維持放電の回数により割り当てられた階調重み付け値の割合に応じて階調は変化する。まず、Ｙ電極に維持パルスのハイレベルの電位Ｖｓ２が印加されれば、放電セル内のＹ電極の周囲に溜まっていた正極性の壁電荷と、Ｘ電極の周囲に溜まっていた負極性の壁電荷と、Ｙ電極に印加される電位Ｖｓ２及びＸ電極に印加される電位Ｖｇにより維持放電が行われる。維持放電終了後にＸ電極の周囲には正極性の壁電荷が、Ｙ電極の周囲には負極性の壁電荷が溜まる。次に、Ｘ電極に維持パルスのハイレベルの電位Ｖｓ２が印加されれば、放電セル内のＹ電極の周囲に溜まっていた負極性の壁電荷と、Ｘ電極の周囲に溜まっていた正極性の壁電荷と、Ｙ電極に印加される電位Ｖｇと、Ｘ電極に印加される電位Ｖｓ２とにより維持放電が行われる。維持放電終了後にＸ電極の周囲には負極性の壁電荷が、Ｙ電極の周囲には正極性の壁電荷が溜まる。前記のような方式により、階調重み付け値により決定される維持パルスの個数により、維持放電が続けて行われる。
【００８１】
本発明は、図面に図示された実施形態を参考に説明されたが、それらは、例示的なものに過ぎず、本技術分野の当業者ならば、それらから多様な変形及び均等な他の実施形態が可能であるという点を理解できるであろう。従って、本発明の真の技術的保護範囲は、特許請求の範囲の技術的思想によってのみ決まるものである。
【産業上の利用可能性】
【００８２】
本発明のＰＤＰの駆動方法、及びそれにより駆動されるプラズマディスプレイ装置は、例えば、平面表示関連の技術分野に効果的に適用可能である。
【図面の簡単な説明】
【００８３】
【図１】本発明のＰＤＰの駆動方法により駆動される発光効率及び永久残像が改善されたＰＤＰの一実施形態を示す斜視図である。
【図２】図３のＰＤＰをIV−IV線に沿って切り取った断面図である。
【図３】図１及び図２に図示された放電セル及び電極構造を図示した配置図である。
【図４】図１のＰＤＰを駆動するための駆動方法を簡略に示すタイミング図である。
【図５】図１のＰＤＰ及びこれを駆動するための駆動装置を図示したプラズマディスプレイ装置の簡略なブロック図である。
【図６】本発明の一実施形態であり、図１のＰＤＰを駆動する駆動信号を図示した図面である。
【図７】本発明のＰＤＰの駆動方法により駆動される発光効率及び永久残像が改善されたＰＤＰの他の実施形態を示す斜視図である。
【図８】図７のＰＤＰをＸ−Ｘ線に沿って切り取った断面図である。
【図９】図７及び図８に図示された放電セル及び電極構造を図示した配置図である。
【図１０】図７のＰＤＰ及びこれを駆動するための駆動装置を図示したプラズマディスプレイ装置の簡略なブロック図である。
【図１１】本発明の他の実施形態であり、図７のＰＤＰを駆動する駆動信号を図示した図面である。
【図１２】従来技術による三電極面放電方式のＰＤＰの部分分離斜視図である。
【図１３】図１２のＰＤＰをII−II線に沿って切り取った断面図である。
【符号の説明】
【００８４】
１，２００，３００    ＰＤＰ
１１０    第１パネル
１１１，２１０，３１０    第１基板
１１２    走査電極ライン
１１２ａ，１１３ａ    バス電極
１１２ｂ，１１３ｂ    透明電極
１１３    維持電極ライン
１１４    維持電極対
１１５    第１誘電体層
１１６，２１６，３１６    第１保護膜
１２０    第２パネル
１２１，２２０，３２０    第２基板
１２２    アドレス電極ライン
１２３    第２誘電体層
１２４，  ２１４，３１４    隔壁
１２５，２２５，３２５    蛍光体層
１２８    第２保護膜
２１０ａ，３１０ａ    溝
２１２，３１２    第１電極
２１３，３１３    第２電極
３２２    第３電極
７００，１２００    映像処理部
７０１，１２０１    プラズマディスプレイ装置
７０２，１２０２    論理制御部
７０４，１２０４    Ｙ駆動部
７０６，１２０６    Ａ駆動部
１２０８    Ｘ駆動部
Ｃｅ    放電セル
ＰＡ    アドレス期間
ＰＲ    リセット期間
ＰＳ    維持期間
ＳＦ    サブフィールド
ＳＡ    Ａ駆動制御信号
Ｓｘ    Ｘ駆動制御信号
ＳＹ    Ｙ駆動制御信号
Ｖｇ   接地電圧
Ｖａ１，Ｖａ２    表示データ信号のハイレベル電位
Ｖｂ１，Ｖｂ２    バイアス電圧
Ｖｓ１，Ｖｓ２    維持パルスのハイレベル電位
−Ｖｓ１    維持パルスのローレベル電位
Ｖｓｃｈ１，Ｖｓｃｈ２    走査パルスのハイレベル電位
Ｖｓｃｌ１，Ｖｓｃｌ２    走査パルスのローレベル電位
Ｖｎｆ１，Ｖｎｆ２    立下り最低電圧
Ｖｓ１＋Ｖｓｅｔ１，Ｖｓ２＋Ｖｓｅｔ２    立上がり最高電圧
【図１】
2007047755.tif 000003
【図２】
2007047755.tif 000004
【図３】
2007047755.tif 000005
【図４】
2007047755.tif 000006
【図５】
2007047755.tif 000007
【図６】
2007047755.tif 000008
【図７】
2007047755.tif 000009
【図８】
2007047755.tif 000010
【図９】
2007047755.tif 000011
【図１０】
2007047755.tif 000012
【図１１】
2007047755.tif 000013
【図１２】
2007047755.tif 000014
【図１３】
2007047755.tif 000015